(57)【要約】  落下イベント検知通信システムは、少なくとも１つの落下検知ノード及びパーソナル通信アプリケーションを含む。少なくとも１つの落下検知ノードは、落下防止システムの一部として実装される。少なくとも１つの落下検知ノードは、少なくとも１つの検知要素及びノード送信機を含む。少なくとも１つの検知要素は、落下イベントが生じたことを示す状態に際して、作動信号を生成する。ノード送信機は、少なくとも１つの検知要素から作動信号を受信すると、少なくとも１つの落下検知信号を送信する。パーソナル通信アプリケーションは、パーソナル通信デバイスに記憶される。パーソナル通信アプリケーショは、落下検知信号についてパーソナル通信デバイスに監視させ、落下イベントが生じたと判断されると、パーソナル通信デバイスにリモート通信デバイスと通信させる。
2019507919.tif 000002
【特許請求の範囲】
【請求項１】
落下イベント検知通信システムであって、
落下防止システムの一部として実現された少なくとも１つの落下検知ノードを含み、
前記少なくとも１つの落下検知ノードは、
落下イベントが生じたことを示す状態に基づいて、作動信号を生成する少なくとも１つの検知要素と、
前記少なくとも１つの検知要素から前記作動信号を受信すると、少なくとも１つの落下検知信号を送信するノード送信機と、を備え、
更に、パーソナル通信デバイスに記憶されたパーソナル通信アプリケーションを含み、
前記パーソナル通信アプリケーションは、前記少なくとも１つの落下検知ノードの前記ノード送信機からの前記落下検知信号について前記パーソナル通信デバイスに監視させ、
更に、前記パーソナル通信アプリケーションは、前記少なくとも１つの落下検知ノードから前記少なくとも１つの落下検知信号を受信することに少なくとも部分的に基づいて、落下イベントが生じたかどうかを前記パーソナル通信デバイスに判断させ、
更にまた、前記パーソナル通信アプリケーションは、落下イベントが生じたと判断されると、前記パーソナル通信デバイスにリモート通信デバイスと通信させる、落下イベント検知通信システム。
【請求項２】
前記少なくとも１つの検知要素は、前記落下防止システムの少なくとも１つの構成要素が選択重量を超える荷重を受けると作動するスイッチである、請求項１に記載の落下イベント検知通信システム。
【請求項３】
前記少なくとも１つの検知要素は、スイッチ及びセンサの少なくとも一方である、請求項１に記載の落下イベント検知通信システム。
【請求項４】
前記パーソナル通信アプリケーションは、選択時間よりも長い間、前記落下検知信号を連続的に受信した後にのみ、前記パーソナル通信デバイスに前記落下警告メッセージを送信させる、請求項１に記載の落下イベント検知通信システム。
【請求項５】
少なくとも１つの落下検知ノードは、選択時間の間、前記少なくとも１つの検知要素から前記作動信号を受信したときにのみ、前記少なくとも１つの落下検知信号を送信する、請求項１に記載の落下イベント検知通信システム。
【請求項６】
前記少なくとも１つの落下検知ノードは、
ノードクロックと、
アプリケーションを記憶するノードメモリと、
ノードアプリケーションの命令を実行するノードコントローラであって、前記命令は、前記ノードクロックを使用して前記少なくとも１つの検知要素からの作動信号の時間を計測することを前記ノードコントローラに命令することを含む、ノードコントローラと、
を更に含む、請求項５に記載の落下イベント検知通信システム。
【請求項７】
前記パーソナル通信アプリケーションは、２つ以上の落下検知信号が受信された後にのみ、前記パーソナル通信デバイスに前記落下警告メッセージを送信させる、請求項１に記載の落下イベント検知通信システム。
【請求項８】
前記落下検知信号は近距離通信信号である、請求項１に記載の落下イベント検知通信システム。
【請求項９】
前記パーソナル通信デバイスは、無線電話システムを介して前記リモート通信デバイスと通信する、請求項１に記載の落下イベント検知通信システム。
【請求項１０】
落下防止システムにより実現された少なくとも１つの検知要素であって、落下イベントを検知する検知要素と、
前記少なくとも１つの検知要素と通信する送信機であって、前記少なくとも１つの検知要素による落下イベントの前記検知に際して、落下検知信号をパーソナル通信デバイスに送信する送信機と、
を備える落下検知ノード。
【請求項１１】
前記落下防止システムに組み込まれたスイッチである前記少なくとも１つの検知要素であって、前記スイッチは、落下防止ハーネスが選択された重量を超える荷重を受けると作動する、少なくとも１つの検知要素と、
前記スイッチが作動している間、前記落下検知信号を前記パーソナル通信デバイスに連続的に送信する送信機と
を更に備える、請求項１０に記載の落下検知ノード。
【請求項１２】
前記スイッチは、ばね仕掛けのスイッチである、請求項１１に記載の落下検知ノード。
【請求項１３】
前記送信機に電力供給する電源
を更に備える、請求項１０に記載の落下検知ノード。
【請求項１４】
ノードクロックと、
ノードアプリケーションを記憶するノードメモリと、
前記ノードアプリケーションの命令を実行するコントローラであって、前記命令は、前記クロックを使用して前記少なくとも１つの検知要素からの作動信号の時間を計測することを前記ノードコントローラに命令することを含む、コントローラと、
を更に備える、請求項１０に記載の落下検知ノード。
【請求項１５】
落下イベントをリモート通信デバイスに通信する方法であって、
落下防止システムに実現された少なくとも１つの落下検知ノードによって、落下イベントが検知されると、落下検知信号を生成することと、
パーソナル通信デバイスによって、前記落下検知信号について前記少なくとも１つの落下検知ノードを監視することと、
前記パーソナル通信デバイスによって、前記少なくとも１つの落下検知ノードからの落下検知信号の検知に少なくとも部分的に基づいて、落下警告メッセージを生成することと
を含む方法。
【請求項１６】
前記少なくとも１つの落下検知ノードにより前記落下防止信号が生成される時間量を追跡することと、
追跡された時間量が選択時間量を超えると、前記落下警告メッセージをリモート通信デバイスに送信することと
を更に含む、請求項１５に記載の方法。
【請求項１７】
落下防止システムに実現された少なくとも１つの落下検知ノードによって、落下イベントが検知されると、落下検知信号を生成することは、
前記落下防止システム上の荷重が選択荷重を超えると、前記落下防止システムに組み込まれたばね仕掛けのスイッチを作動させることと、
前記ばね仕掛けのスイッチの前記作動に応答して、前記落下検知信号をパーソナル通信デバイスに送信することと
を更に含む、請求項１５に記載の方法。
【請求項１８】
前記落下警告メッセージを送信する前に前記ばね仕掛けの作動スイッチが作動しなければならないように選択時間を設定すること
を更に含む、請求項１７に記載の方法。
【請求項１９】
少なくとも２つの検知要素によって、前記落下警告メッセージを送信する前に落下イベントを確認すること
を更に含む、請求項１５に記載の方法。
【請求項２０】
前記少なくとも２つの検知要素の少なくとも一方が、前記少なくとも１つの落下検知ノードの一部である、請求項１９に記載の方法。
【発明の詳細な説明】
【背景技術】
【０００１】
落下防止は、高所作業が要求される作業者の労働安全衛生にとって重要である。作業者が晒される電気的又は機械的な危険性などの他の種類の危険性とは異なり、重力位置エネルギーは、高所作業が要求される全ての組織に影響を及ぼす普遍的な危険性である。高所作業に伴う危険を撲滅するために、落下防止機器の製造業者は、落下イベント中の作業者の落下を確実に阻止するためのデバイスを開発してきた。これらのデバイスは、意図したように概ね機能し、作業者の落下を確実に阻止するが、作業者が適時に救助されない場合には、依然として作業者に支障が及ぶ可能性がある。この状況は、作業者が遠隔地で単独で作業するときに特に重要である。
【０００２】
上述した理由から、及び、本明細書を読んで理解すれば、当業者にとって明らかになるであろう以下で述べる他の理由から、当該分野では、効果的及び効率的な方法で落下イベントを第三者に通信する必要がある。
【発明の概要】
【０００３】
現行のシステムの上述の問題は、本開示の実施形態によって対処され、以下の明細書を読み検討することによって理解されるであろう。以下の概要は、限定としてではなく、例として示される。それは、読者が本開示の態様のいくつかを理解するのを助けるために提示されるにすぎない。
【０００４】
一実施形態では、落下イベント検知通信システムが提供される。落下イベント検知通信システムは、少なくとも１つの落下検知ノード及びパーソナル通信アプリケーションを含む。少なくとも１つの落下検知ノードは、落下防止システムの一部として実現される。少なくとも１つの落下検知ノードは、少なくとも１つの検知要素及びノード送信機を含む。少なくとも１つの検知要素は、落下イベントが生じたことを示す状態に基づいて、作動信号を生成する。ノード送信機は、少なくとも１つの検知要素から作動信号を受信すると、少なくとも１つの落下検知信号を送信する。パーソナル通信アプリケーションは、パーソナル通信デバイスに記憶されている。パーソナル通信アプリケーションは、少なくとも１つの落下検知ノードのノード送信機からの落下検知信号についてパーソナル通信デバイスに監視させる。パーソナル通信アプリケーションは、更に、少なくとも１つの落下検知ノードから少なくとも１つの落下検知信号を受信することに少なくとも部分的に基づいて、落下イベントが生じたかどうかをパーソナル通信デバイスに決定させる。パーソナル通信アプリケーションは、更にまた、落下イベントが生じたとの決定に基づいて、パーソナル通信デバイスにリモート通信デバイスと通信させる。
【０００５】
別の実施形態では、落下検知ノードが提供される。落下検知ノードは、少なくとも１つの検知要素及び送信機を含む。少なくとも１つの検知要素は、落下防止システムにより実現される。検知要素は落下イベントを検知する。送信機は、少なくとも１つの検知要素と通信状態にある。送信機は、更に、少なくとも１つの検知要素による落下イベントの検知に基づいて、落下検知信号をパーソナル通信デバイスに送信する。
【０００６】
また別の実施形態では、落下イベントをリモート通信デバイスに通信する方法が提供される。この方法は、落下防止システムに実装された少なくとも１つの落下検知ノードによって、落下イベントが検知されると、落下検知信号を生成することを含む。少なくとも１つの落下検知ノードは、パーソナル通信デバイスによって落下検知信号について監視される。パーソナル通信デバイスによって、少なくとも１つの落下検知ノードからの落下検知信号の検知に少なくとも部分的に基づいて、落下警告メッセージが生成される。
【図面の簡単な説明】
【０００７】
詳細な説明及び以下の図をふまえて考察すれば、本開示をより容易に理解できるとともに、その更なる利点及び使用がより容易に明らかになるであろう。
【０００８】
【図１】落下イベント検知通信システムのブロック図である。
【０００９】
【図２】本開示の一実施形態のアプリケーションフローチャートである。
【００１０】
【図３】本開示の別の実施形態のアプリケーションフローチャートである。
【００１１】
一般的な慣習に従い、記載された種々の特徴は縮尺どおりには描かれておらず、本開示に関係する特定の特徴を強調するように描かれている。参照文字は、図及び本文全体を通して同様の要素を表している。
【発明を実施するための形態】
【００１２】
以下の詳細な説明では、本明細書の一部を成すとともに、本開示を実施しうる特定の実施形態を例示の目的で示す添付の図面を参照する。これらの実施形態は当業者が本開示を実施できる程度に十分に詳細に説明されており、他の実施形態が利用可能であること、並びに本開示の趣旨及び範囲から逸脱することなしに様々な変更が加えられることが理解されるべきである。したがって、以下の詳細な説明は限定的な意味で解釈されるべきではなく、本開示の範囲は請求項及びその均等物によってのみ定義される。
【００１３】
本開示の実施形態は、落下イベント検知通信システムを提供する。落下イベント検知通信システム１００の例を図１に例示している。本実施形態の落下イベント検知通信システム１００は、少なくとも１つの落下検知ノード２００ａ、２００ｂ又は２００ｃ、パーソナル通信デバイス３００及びリモート通信デバイス４００を含む。本実施形態の各落下検知ノード２００ａ、２００ｂ及び２００ｃは、少なくとも１つの検知要素２３０ａ、２３０ｂ又は２３０ｃ、送信機２２０及び電源２１５を含む。落下検知ノード２００ａ、２００ｂ及び２００ｃは、高所作業中にユーザが使用する落下防止システムの一部として実現される。少なくとも１つの落下検知ノード２００ａ、２００ｂ又は２００ｃの実現の例が、以下で説明される。
【００１４】
上で説明したように、図１の実施形態の落下検知ノード２００ａ、２００ｂ又は２００ｃは、少なくとも１つの検知要素２３０ａ、２３０ｂ又は２３０ｃ、送信機２２０及び電源２１５を含む。検知要素２３０ａ、２３０ｂ又は２３０ｃの少なくとも１つは、落下イベントを検知するために使用される。各検知要素２３０ａ、２３０ｂ及び２３０ｃは、送信機２２０と通信状態にある。検知要素２３０ａ、２３０ｂ及び２３０ｃの例としては、非限定的に、落下イベントが生じたことを示す状態を検知するスイッチ又はセンサが挙げられる。例えば、一実施形態では、検知要素２３０ａ、２３０ｂ又は２３０ｃの１つは、選択重量が印加されると作動する、ばね仕掛けのスイッチなどの圧力スイッチである。別の実施形態では、検知要素２３０ａ、２３０ｂ又は２３０ｃの１つは加速度センサである。検知要素２３０ａ、２３０ｂ又は２３０ｃの少なくとも１つが落下イベントを検知すると、対応する作動信号２３１ａ、２３１ｂ及び２３１ｃが送信機２２０に送信される。作動信号を受信すると、対応する落下検知ノード２００ａ、２００ｂ又は２００ｃの送信機２２０は、電源２１５により電力供給され、落下検知信号２２１ａ、２２１ｂ又は２２１ｃを送信する。一実施形態では、落下検知信号２２１ａ、２２１ｂ及び２２１ｃは、非限定的にブルートゥース信号などの近距離通信信号である。ブルートゥース信号は、データを短距離で交換するためのブルートゥース無線技術規格による無線信号である。ブルートゥース規格は短波長ＵＨＦ電波を使用する。
【００１５】
代替的な実施形態では、落下検知ノード２００ａ、２００ｂ又は２００ｃの少なくとも１つが、ノードアプリケーション２１６を記憶するノードメモリ２１８を更に含む。本実施形態はまた、ノードアプリケーション２１６を実行するノードコントローラ２１０、及びノードクロック２５０を含む。一実施形態では、アプリケーション２１６に記憶された命令を使用するノードコントローラ２１０は、検知要素２３０ａ、２３０ｂ又は２３０ｃの１つが落下イベントを連続的に検知している間に選択時間が経過したと、クロック２５０を使用して判断された後にのみ、落下検知信号２２１ａ、２２１ｂ又は２２１ｃが送信されるように、送信機２２０を制御する。３つの落下検知ノード２００ａ、２００ｂ及び２００ｃ、並びに各落下検知ノード２００ａ、２００ｂ及び２００ｃにつき３つの検知要素２３０ａ、２３０ｂ及び２３０ｃのみを図１に例示しているが、少なくとも１つの検知要素を有する任意数の落下検知ノードを使用することができ、本開示は、３つの落下検知ノード２００ａ、２００ｂ及び２００ｃ、並びに各落下検知ノード２００ａ、２００ｂ及び２００ｃにつき３つの検知要素２３０ａ、２３０ｂ及び２３０ｃのみの場合に限定されない。
【００１６】
パーソナル通信デバイス３００は、落下検知ノード２００ａ、２００ｂ及び２００ｃの送信機２２０から落下検知信号を受信するための近傍受信機３３０を含む。一実施形態では、パーソナル通信デバイス３００は携帯電話である。しかし、落下検知信号を受信できる任意の形式のパーソナル通信デバイスを使用することができる。例えば、ブルートゥース規格を近接通信規格として使用する場合、ブルートゥース規格により通信する受信器を有する携帯電話を使用することができる。図１の実施形態のパーソナル通信デバイス３００はまた、プロセッサなどのパーソナル通信コントローラ３１０、パーソナル通信クロック３５０、入力／出力部３１５、パーソナル通信メモリ３１８及び送受信機３４０も含む。
【００１７】
パーソナル通信コントローラ３１０は、パーソナル通信デバイスの動作を制御する。パーソナル通信デバイス３００を動作させるためにパーソナル通信コントローラ３１０により実行される命令が、メモリ３１８に記憶されている。また図１に例示するように、パーソナル通信デバイス３００には、パーソナル通信メモリ３１８にも記憶されたパーソナル通信アプリケーション３２０が存在する。パーソナル通信アプリケーション３２０は、以下で説明する特定用途のためにパーソナル通信コントローラ３１０により実行される特定の命令セットである。パーソナル通信コントローラ３１０は、デバイス３００の入力／出力部３１５を通じてユーザがアプリケーションを作動させると、アプリケーション命令を実行する。本実施形態のパーソナル通信クロック３５０は、他にもいろいろな理由があるが、パーソナル通信デバイス３００が落下検知ノード２００ａ、２００ｂ又は２００ｃから落下検知信号２２１ａ、２２１ｂ又は２２１ｃを受信している時間を計測するために使用される。
【００１８】
送受信機３４０は、信号を長距離で送受信するためにパーソナル通信デバイス３００により使用される。携帯電話の例では、送受信機３４０は、携帯電話ネットワークを介してリモート通信デバイス４００に対して信号を送受信する。リモート通信デバイス４００は、パーソナル通信デバイス３００に対してリモートに位置する別の携帯電話又は固定電話回線であってもよい。パーソナル通信デバイス３００のパーソナル通信送受信機３４０によって、落下警告メッセージ３４１が、実施形態のリモート通信デバイス４００のリモート送受信機４２０に送信される。また、一実施形態では、パーソナル通信デバイス３００は、１つ以上の検知要素３１７ａ及び３１７ｂを含む。落下検知ノード２００ａ、２００ｂ及び２００ｃの検知要素２３０ａ、２３０ｂ及び２３０ｃと同様に、落下イベントを検知するために検知要素３１７ａ及び３１７ｂを使用することができる。検知要素３１７ａ及び３１７ｂの例が加速度計である。しかし、他の形式の検知要素をパーソナル通信デバイスにおいて使用してもよい。
【００１９】
図２を参照すると、一実施形態のアプリケーションフローチャート５００を例示している。処理は、ユーザが高所作業の準備を整えることによって開始する（５０２）。一実施形態では、このことは、落下防止システムを実装することを含む。例えば、落下防止システムを実装することは、セーフティハーネスを着用し、パーソナル通信デバイス３００のアプリケーション３２０を設定する（５０４）ことを含んでもよい。設定としては、落下イベントを検知した場合に呼び出す通信番号、落下警告メッセージ３４１をリモート通信デバイス４００に送信する前に、落下検知ノード２００ａ、２００ｂ又は２００ｃが落下検知信号２２１ａ、２２１ｂ又は２２１ｃをどの程度の間観測する必要があるか、送信すべき落下警告メッセージ３４１の種類、及び落下警告メッセージ３４１の内容などを提供することを含んでもよい。アプリケーション３２０が設定される（５０４）と、アプリケーション３２０は、パーソナル通信デバイス３００上で作動する（５０６）。そしてパーソナル通信デバイスは、高所作業を行う予定のユーザに取り付けられる（５０８）。そしてユーザは高所作業を行う（５１０）。
【００２０】
ユーザが高所作業を行っている間、パーソナル通信デバイス３００は、アプリケーション３２０により計画された指示に従って落下検知信号２２１ａ、２２１ｂ又は２２１ｃについて監視する（５１２）。落下検知信号２２１ａ、２２１ｂ又は２２１ｃが検知されなかった場合（５１４）、処理は（５１２）で継続する。落下検知信号２２１ａ、２２１ｂ又は２２１ｃが検知された場合（５１４）、一実施形態では、パーソナル通信デバイス３００のコントローラ３１０は、アプリケーション３２０の命令に従ってタイマを始動させる（５１６）（クロック３５０を使用して時間を追跡する）。コントローラ３１０は、本実施形態の近傍受信機３３０が落下検知信号２２１ａ、２２１ｂ又は２２１ｃを受信している時間を計測する（５１８）。落下検知信号２２１ａ、２２１ｂ及び２２１ｃを受信している連続時間が、アプリケーションにおいて設定された時間未満である場合（５２０）、処理は、（５１２）に戻って落下検知信号２２１ａ、２２１ｂ又は２２１ｃについての監視を継続する。落下検知信号２２１ａ、２２１ｃ又は２２１ｃを受信している連続時間が、アプリケーションにおいて設定された時間以上である場合（５２０）、パーソナル通信デバイス３００のコントローラ３１０は、送受信機３４０を作動させて、落下警告メッセージ３４１をリモート通信デバイス４００に送信する（５２２）。
【００２１】
受信した落下警告メッセージ３４１に基づいて、落下したユーザを救助するために救助員が派遣される。アプリケーションにおいて設定される時間の例は、１０秒を超える時間であり、落下検知信号２２１ａ、２２１ｂ又は２２１ｃを送信するために落下検知ノード２００ａ、２００ｂ又は２００ｃにより使用される重量の例は、１３０ポンド以上である。別の実施形態では、上で説明したように、落下検知ノード２００ａ、２００ｂ又は２００ｃの少なくとも１つは、対応する検知要素２３０ａ、２３０ｂ又は２３０ｃが落下イベントを検知していた連続時間を決定できるよう構成されている。本実施形態では、時間が確認された後にのみ、対応する落下検知信号２２１ａ、２２１ｂ又は２２１ｃが送信される。さらに本実施形態では、パーソナル通信デバイスのコントローラ３１０は、アプリケーション３２０に記憶された命令に従って、対応する落下検知信号２２１ａ、２２１ｂ又は２２１ｃが検知されると直ちに落下警告メッセージ３４１を送信する。
【００２２】
図３は、別の実施形態のアプリケーションフローチャート５３０を例示している。本実施形態では、落下警告メッセージ３４１を初期化するときに少なくとも２つの異なる検知要素が使用される。例えば、少なくとも２つの異なる検知要素は、検知要素２３０ａ、２３０ｂ、２３０ｃ、３１７ａ及び３１７ｂの中から選択することができる。処理は、ユーザが高所作業の準備を整えることによって開始する（５３２）。一実施形態では、このことは、落下防止システムを実装することにより行われる。落下防止システムを実装することは、セーフティハーネスを着用し、パーソナル通信デバイス３００のアプリケーション３２０を設定する（５３４）ことを含んでもよい。設定としては、落下イベントを検知した場合に呼び出す通信番号、落下イベントの判断及び検証に必要とされる、異なる検知要素２３０ａ、２３０ｂ、２３０ｃ、３１７ａ、３１７ｂからの異なる信号の数、落下警告メッセージ３４１をリモート通信デバイス４００に送信する前に、検知要素２３０ａ、２３０ｂ、２３０ｃ、３１７ａ及び３１７ｂが落下検知信号２２１ａ、２２１ｂ及び２２１ｃをどの程度の間観測する必要があるか、送信すべき落下警告メッセージ３４１の種類、及び落下警告メッセージ３４１の内容などを提供することを含んでもよい。アプリケーション３２０が設定される（５３４）と、アプリケーション３２０は、パーソナル通信デバイス３００上で作動する（５３６）。そしてパーソナル通信デバイスは、高所作業を行う予定のユーザに取り付けられる（５３８）。そしてユーザは高所作業を行う（５４０）。
【００２３】
ユーザが高所作業を行っている間、パーソナル通信デバイス３００は、アプリケーション３２０により計画された命令に従って落下検知信号について監視する（５４２）、（５５２）及び（５５６）。落下検知信号は落下検知信号２２１ａ、２２１ｂ、２２１ｃであってもよい。また、落下検知信号は、検知要素３１７ａ及び３１７ｂからのものであってもよい。アプリケーションフローチャート５３０が、本例で使用されるものとして、３つの異なる検知要素２３０ａ、２３０ｂ及び２３０ｃからの落下検知信号２２１ａ、２２１ｂ及び２２１ｃなどの３つの異なる種類の落下検知信号を示しているが、任意数の異なる種類の検知要素を使用してもよい。
【００２４】
図３のアプリケーションフローチャート５３０では、パーソナル通信デバイス３００が、第１の検知要素２３０ａからの落下検知信号２２１ａなどの第１の落下検知信号について監視する。本実施形態では、第１の落下検知信号２２１ａが検知される（５４４）と、タイマが始動される（５４６）。コントローラ３１０は、本実施形態の近傍受信機３３０が落下検知信号２２１ａを受信している時間を計測する（５４８）。落下検知信号２２１ａを受信している連続時間が、アプリケーションにおいて設定された時間未満である場合（５５０）、処理は、（５４２）に戻って落下検知信号２２１ａについての監視を継続する。落下検知信号２２１ａを受信している連続時間が、アプリケーションにおいて設定された時間以上である場合（５５０）、本実施形態のコントローラ３１０は、少なくとも１つの他の落下検知信号が検知されたか否かを確認する（５６０）。例えば、通信デバイス３００は、第２の検知要素２３０ｂからの落下検知信号２３１ｂなどの第２の落下検知信号について（５５２）で監視し、第３の検知要素２３０ｃからの落下検知信号２３１ｃなどの第３の落下検知信号について（５５６）で監視する。
【００２５】
上述したように、本実施形態では、落下警告メッセージ３４１は、２つ以上の落下検知信号２２１ａ、２２１ｂ及び２２１ｃが検知される（５４４）、（５５４）及び（５５８）と、リモート通信デバイス４００に送信される（５６２）。よって、本実施形態では、少なくとも２つの独立した落下検知システムに落下イベントを同時に検知することを要求することによって、落下イベントの確認が可能である。このことは、誤った落下検知イベントを削減する。例えば、１つの検知要素２３０ａは荷重を測定するセンサでもよく、一方、検知要素２３０ｂは、所定の大きさの力が加わると作動するスイッチであり、検知要素２３０ｃは加速度計でもよい。また、上で説明したように、パーソナル通信デバイスは、落下イベントを検知し確認するために、単独で使用できる、又は落下検知ノード２００ａ、２００ｂ及び２００ｃの検知要素２３０ａ、２３０ｂ及び２３０ｃと共にも使用できる検知要素３１７ａ及び３１７ｂ（非限定的に、加速度計及び／又は減速度計など）を含んでもよい。また、別の実施形態では、少なくとも１つの落下検知ノード２００ａ、２００ｂ又は２００ｃは、検知要素２３０ａ、２３０ｂ、及び２３０ｃが落下イベントを検知する時間を計測できるように構成されている。本実施形態では、パーソナル通信コントローラ３１０は、少なくとも１つのノード２００ａ、２００ｂ及び２００ｃからの対応する落下検知信号２２１ａ、２２１ｂ又は２２１ｃが検知されると直ちに、落下イベントが検知されたと識別するように構成されている。本実施形態のコントローラ３１０は、落下警告メッセージを送信するまで、検証のために少なくとも１つの他の落下検知信号を待機する。
【００２６】
本明細書では、特定の実施形態を例示して説明したが、当業者は、示した特定の実施形態が、同じ目的を達成するように計画された任意の構成に置き換えられうることを理解するであろう。本出願は、本開示のあらゆる適合形態又は変形形態を包含することを意図している。したがって、本開示は、請求項及びその均等物によってのみ限定されることが、明白に意図されている。
【図１】
2019507919.tif 000003
【図２】
2019507919.tif 000004
【図３】
2019507919.tif 000005
【国際調査報告】
2019507919.tif 000006
2019507919.tif 000007